(57)【特許請求の範囲】
【請求項１】
移動通信端末と、
該移動通信端末が載置された状態で該移動通信端末の電源のオン・オフを制御するクレードルと、
該移動通信端末に対する呼制御を行うサーバ装置と、
を有しており、
該サーバ装置は、該クレードルに載置されている状態で電源がオフとされている移動通信端末に対する着信要求を検出したときには、該クレードルに指示を与えて該移動通信端末の電源をオンにする制御を行わせ、その後に該着信要求に応じるための所定の着信制御処理を行う、
ことを特徴とする通信システム。
【請求項２】
該サーバ装置からの指示に従って該クレードルへの給電を行う給電システムを更に有しており、
該移動通信端末は、該クレードルに載置されたときに、その旨を示す載置情報を該サーバ装置に通知し、
該サーバ装置は、該載置情報の通知を受け取ったときに、該給電システムに指示を与えて該載置情報を通知した移動通信端末が載置されているクレードルへの給電を開始させ、
該移動通信端末は、該移動通信端末が載置されているクレードルへの給電が該給電システムにより行われている場合には、該給電を用いて該移動通信端末自身の電源として備えている蓄電池の充電を行い、該充電の完了後には、該移動通信端末の電源が、該クレードルの制御によってオフとされる、
ことを特徴とする請求項１に記載の通信システム。
【請求項３】
該移動通信端末は、該蓄電池の充電が完了したときに、その旨を示す充電完了情報を該サーバ装置に通知し、
該サーバ装置は、該充電完了情報の通知を受け取ったときには、該充電完了情報を通知した移動通信端末が載置されているクレードルに指示を与えて、該移動通信端末の電源をオフにする制御を行わせる、
ことを特徴とする請求項２に記載の通信システム。
【請求項４】
該サーバ装置は、該充電完了情報を通知した移動通信端末が載置されているクレードルに指示を与えて該移動通信端末の電源をオフにする制御を行わせ、更にその後に、該給電システムに指示を与えて該充電完了情報を通知した移動通信端末が載置されているクレードルへの給電を停止させる、
ことを特徴とする請求項３に記載の通信システム。
【請求項５】
該移動通信端末は、該クレードルに載置されたときに、該移動通信端末が載置されたクレードルの識別情報を該クレードルから読み出して該サーバ装置に通知し、
該サーバ装置は、該クレードルの識別情報と該クレードルに給電を行う給電システムとの関係が示されている管理テーブルを更に有しており、該給電システムによるクレードルへの給電の制御を、該制御の対象であるクレードルの識別情報との関係が該管理テーブルに示されている給電システムに行わせる、
ことを特徴とする請求項２から４のうちのいずれか一項に記載の通信システム。
【発明の詳細な説明】
【技術分野】
【０００１】
本明細書で議論される実施態様は、通信技術に関するものである。
【背景技術】
【０００２】
コードレスホンやＩＰ（Internet Protocol）電話等の移動通信端末を使用する通信システムにおいて省電力化を図る技術が知られている。例えば、休日や深夜の時間帯等の長時間に亘って移動通信端末が使用されない（発着信が少ない）間、移動通信端末を省電力モードで稼動させて省電力化を図るという技術が知られている。
【先行技術文献】
【特許文献】
【０００３】
【特許文献１】特開２００８−１６６９８６号公報
【特許文献２】特開２００９−８８８３３号公報
【発明の概要】
【発明が解決しようとする課題】
【０００４】
前述した技術では、発着信のない間は移動通信端末を省電力モードで稼動させることによって省電力化が行われる。しかしながら、実際には、移動通信端末において省電力モードでの稼動に必要な電力が消費されるため、通信システム全体での省電力の効果が十分とはいえない。
【０００５】
本発明は上述した問題に鑑みてなされたものであり、その解決しようとする課題は、移動通信端末を使用する通信システムで発着信のない間の電力消費を低減させる新たな手法を提供することである。
【課題を解決するための手段】
【０００６】
本明細書で後述する通信システムは、移動通信端末と、この移動通信端末が載置された状態でこの移動通信端末の電源のオン・オフを制御するクレードルと、この移動通信端末に対する呼制御を行うサーバ装置と、を有するというものがある。この通信システムにおいて、サーバ装置は、クレードルに載置されている状態で電源がオフとされている移動通信端末に対する着信要求を検出したときには、まず、クレードルに指示を与えて移動通信端末の電源をオンにする制御を行わせる。そして、その後に着信要求に応じるための所定の着信制御処理を行う。
【発明の効果】
【０００７】
本発明によれば、以上のようにすることにより、移動通信端末を使用する通信システムで発着信のない間の電力消費が少なく済むという効果を奏する。
【図面の簡単な説明】
【０００８】
【図１】通信システムの全体構成図である。
【図２】通信システムの詳細構成図である。
【図３】ＩＰ電話端末に備えられているスイッチ部の構造図である。
【図４】呼制御サーバの端末管理部で保持されている端末管理データテーブルの例である。
【図５】呼制御サーバのシステムデータ管理部で保持されているシステムデータ管理データテーブルの例である。
【図６】呼制御サーバでの処理手順を図解したフローチャートである。
【図７】ＩＰ電話端末での処理手順を図解したフローチャートである。
【図８Ａ】図１の通信システムを構成している各部で行われる処理手順の一例の相互関係図（その１）である。
【図８Ｂ】図１の通信システムを構成している各部で行われる処理手順の一例の相互関係図（その２）である。
【発明を実施するための形態】
【０００９】
まず図１について説明する。図１には通信システムの全体構成が図解されている。
この通信システムでは、ＩＰ（Internet Protocol）ネットワーク１を介して、呼制御サーバ２と、無線基地局３ａ及び３ｂと、給電ハブ４ａ及び４ｂとが接続されている。
【００１０】
ＩＰネットワーク１は、インターネットプロトコルを利用して通信端末が相互に接続される通信ネットワークである。
呼制御サーバ２は、通信端末間の回線の接続、解放（切断）や、当該回線の監視などの各種の制御（呼制御）を行うサーバである。この呼制御サーバ２は、例えば、通信端末（例えばＩＰ電話端末５ａ）から特定の通信端末（例えばＩＰ電話端末５ｂ）へ宛てた情報信号（例えば、ＩＰ電話端末５ｂを対象とした着信の要求を示している発呼信号）を検出する検出部として動作することができる。
【００１１】
無線基地局３ａ及び３ｂは、それぞれ、無線伝送路を介してＩＰ電話端末５ａ及び５ｂをＩＰネットワーク１に接続し、ＩＰ電話端末５ａ及び５ｂとＩＰネットワーク１との間で各種の情報の授受を可能にする。
【００１２】
給電ハブ４ａ及び４ｂは通信ポートを複数有しており、この通信ポートに接続される通信端末をＩＰネットワーク１に接続する集線装置である。給電ハブ４ａには通信端末としてクレードル６ａが接続されており、給電ハブ４ｂには通信端末としてクレードル６ｂが接続されている。なお、給電ハブ４ａ及び４ｂは、呼制御サーバ２による給電制御指示に従って、通信ポートに接続される通信端末への給電を当該通信ポートから行う給電システムとしての機能も備えている。従って、給電ハブ４ａは、クレードル６ａへの給電を、クレードル６ａが接続された通信ポートから行うことができ、給電ハブ４ｂはクレードル６ｂへの給電を、クレードル６ｂが接続された通信ポートから行うことができる。例えば、給電ハブ４ａ及び４ｂをＩＥＥＥ８０２．３ｆで標準化されたＰｏＥ（Power over Ethernet）に対応した集線装置で実現する場合には、クレードル６ａ及び６ｂへの給電を、Ethernet（登録商標）ケーブルによって行うことができる。
【００１３】
ＩＰ電話端末５ａ及び５ｂは、ＶｏＩＰ（Voice over Internet Protocol）技術を利用し、電話回線の接続を、無線通信路（無線基地局３ａ及び３ｂ）並びにＩＰネットワーク１を経由して行う電話通信用の移動通信端末装置である。
【００１４】
クレードル６ａ及び６ｂは、ＩＰ電話端末５ａ及び５ｂの載置台であるが、ＩＰ電話端末５ａ及び５ｂの電源のオン・オフを載置状態に応じて制御する機能を有している。また、クレードル６ａ及び６ｂは、載置されたＩＰ電話端末５ａ及び５ｂに対し給電を行う機能も有しており、ＩＰ電話端末５ａ及び５ｂは、自身の電源として備えている蓄電池の充電を、クレードル６ａ及び６ｂからの給電を用いて行うことができる。
【００１５】
なお、呼制御サーバ、給電ハブ、無線基地局、ＩＰ電話端末、及びクレードルの各台数は、図１に図解されている台数に限定されるものではない。
次に図２について説明する。図２には、図１に提示した通信システムの各構成要素の詳細構成が図解されている。
【００１６】
図１の通信システムを構成している無線基地局３ａ及び３ｂ、給電ハブ４ａ及び４ｂ、ＩＰ電話端末５ａ及び５ｂ、並びにクレードル６ａ及び６ｂは、それぞれ同一の構成であるので、図２では各々１台ずつ図解している。
【００１７】
なお、以下の説明では、無線基地局３ａ及び３ｂ並びに給電ハブ４ａ及び４ｂを区別する必要がない場合には、それぞれ「無線基地局３」及び「給電ハブ４」と称することもある。また、以下の説明では、ＩＰ電話端末５ａ及び５ｂ並びにクレードル６ａ及び６ｂについても区別する必要がない場合には、それぞれ「ＩＰ電話端末５」及び「クレードル６」と称することもある。
【００１８】
まず呼制御サーバ２について説明する。呼制御サーバ２は、呼制御部２１、給電制御部２２、位置管理部２３、端末管理部２４、システムデータ管理部２５、及び通信部２６を備えている。
【００１９】
呼制御部２１は、通信部２６を介して、ＩＰ電話端末５や他の呼制御サーバ装置との間で制御信号のやり取りを行い、呼設定処理や解放処理を行う。また、呼制御部２１は、呼制御の過程において、所定の情報信号の検出を行い、検出がされたときには、端末管理部２４に対して端末状態の設定・問い合わせを行い、あるいは、給電制御部２２に対して各種の給電制御動作の実行を要求する。
【００２０】
給電制御部２２は、呼制御部２１からの要求に従い、当該要求で特定されているＩＰ電話端末５が設置されたクレードル６を収容している給電ハブ４に対し、そのクレードル６への給電の開始・停止を要求する。また、給電制御部２２は、ＩＰ電話端末５から充電完了の通知を受けたときには、そのＩＰ電話端末５が設置されたクレードル６を収容している給電ハブ４に対し、そのクレードル６への給電の停止を要求する。
【００２１】
位置管理部２３は、一般的な携帯電話システムにおいて通常管理されるものと同様の位置登録エリア情報を保持して管理する記憶装置である。位置登録エリア情報は、ＩＰ電話端末５により行われる位置登録によって更新される。
【００２２】
なお、図１の通信システムにおけるＩＰ電話端末５による現在位置の登録の仕組み、及び、位置登録エリア情報に基づく着信制御は、現在広く用いられている既知の携帯電話システムと同様のものとし、その詳細については説明を省略する。また、ＩＰ電話端末５のＩＰレベルの移動管理方法（移動先ネットワークにおけるＩＰアドレス割当制御や移動先ネットワークへのパケットのルーティング方法）は、Ｍｏｂｉｌｅ  ＩＰ等の既存の仕組みを用いるものとし、その詳細についての説明も省略する。
【００２３】
端末管理部２４は、ＩＰ電話端末５の状態に関する情報を保持して管理する記憶装置である。端末管理部２４による管理対象の状態には、電源オン・オフ状態とクレードル６への載置状態とがあり、クレードル６に載置されている場合には、その載置されているクレードル６の識別情報も管理する。端末管理部２４の詳細は、図４を用いて後述する。
【００２４】
システムデータ管理部２５は、給電ハブ４のＩＰアドレス、及び、給電ハブ４の各々が有しているポートのポート番号とそのポートに接続されているクレードル６のＩＰアドレスとの対応関係の情報を保持して管理する記憶装置である。システムデータ管理部２５の詳細は、図５を用いて後述する。
【００２５】
通信部２６は、ＩＰネットワーク１を介して、給電ハブ４、クレードル６、あるいは他の呼制御サーバ装置と通信を行う。
次に無線基地局３について説明する。無線基地局３は、通信部３１と無線通信部３２とを備えている。
【００２６】
通信部３１は、ＩＰネットワーク１を通じて、呼制御サーバ２、不図示の固定電話端末、他の無線基地局装置との通信を行う。また、通信部３１は、無線通信部３２を介して、ＩＰ電話端末５との間で通信を行う。
【００２７】
無線通信部３２は、ＩＰ電話端末５から無線伝送路を介して受信した信号に含まれている情報を通信部３１に中継すると共に、通信部３１から受信した情報を含ませた信号を、ＩＰ電話端末５へ宛てて無線伝送路を介して送信する。
【００２８】
次に給電ハブ４について説明する。給電ハブ４は、給電制御部４１、通信部４２、及びＰｏＥ制御部４３を備えている。
給電制御部４１は、通信部４２を介して呼制御サーバ２から受信した、給電開始要求若しくは給電停止要求に従い、自身に接続されているクレードル６への給電を開始若しくは停止する。
【００２９】
通信部４２は、呼制御サーバ２とＩＰネットワーク１を介して通信を行う。
ＰｏＥ制御部４３は、Ethernet（登録商標）ケーブルを通じて、クレードル６への給電及びクレードル６との通信を行う。
【００３０】
次にＩＰ電話端末５について説明する。ＩＰ電話端末５は、主制御部５１、無線通信部５２、バッテリ部５３、及びスイッチ部５４を備えている。
主制御部５１は、呼制御サーバ２との間での呼制御情報等の送受の制御、送受する音声信号のコード化／デコード化の制御、ＩＰ電話端末５が備えている不図示のユーザインタフェースの制御等の各種の制御を行う。主制御部５１は、また、バッテリ部５３の電力残量の監視や、クレードル６に備えられているメモリ部６６からのクレードル番号の読み出し等の処理も行う。なお、ＩＰ電話端末５の内部に電話番号等のデータを保持する場合には、そのデータを記録する不揮発性メモリを主制御部５１に備えるようにして、ＩＰ電話端末５の各部への電力供給が途絶えた場合でもデータが保持できるようにしておく。
【００３１】
無線通信部５２は、無線基地局３との間で無線伝送路を介して呼制御情報や音声情報の通信を行う。
バッテリ部５３はＩＰ電話端末５の電源であり、呼制御や通話に必要な電力をＩＰ電話端末５の各部に対して供給するための蓄電池である。このバッテリ部５３の充電は、給電ハブ４からクレードル６を介して給電される電力を用いて後述するように行われる。
【００３２】
スイッチ部５４は、バッテリ部５３からＩＰ電話端末５の各部に対する電力の供給・停止の切り替えを行う。このスイッチ部５４の構造は、図３を用いて後述する。
次にクレードル６について説明する。クレードル６は、通信部６１、給電部６２、端末連携部６３、スイッチ部６４、ＰｏＥ制御部６５、及びメモリ部６６を備えている。
【００３３】
通信部６１は、クレードル６が接続されている給電ハブ４との間で通信を行う。
給電部６２は、給電ハブ４より給電されてＰｏＥ制御部６５が受電した電力を、スイッチ部６４を介してＩＰ電話端末５に給電する。
【００３４】
端末連携部６３は、呼制御サーバ２からの指示に従ってスイッチ部６４を制御してＩＰ電話端末５に対する給電及びその停止を行うと共に、ＩＰ電話端末５内のスイッチ部５４を制御してＩＰ電話端末５の電源のオン・オフの制御も行う。
【００３５】
スイッチ部６４は、ＩＰ電話端末５への給電開始／停止を切り替える。
ＰｏＥ制御部６５は、Ethernet（登録商標）ケーブルを通じて、給電ハブ４より給電される電力の受電及び給電ハブ４との通信を行う。
【００３６】
メモリ部６６は、クレードル６を各々識別するための識別情報であるクレードル番号を記憶しておく不揮発性メモリである。ＩＰ電話端末５は、クレードル６に載置されると、このクレードル番号をメモリ部６６から読み出す処理を行う。
【００３７】
なお、ＩＰ電話端末５によるメモリ部６６からのデータの読み出しは、ＩＰ電話端末５とクレードル６との双方に備えられており、ＩＰ電話端末５がクレードル６に載置されると接触して電気的に接続される接点を介して行う。また、この代わりに、クレードル番号を記録部に記録されているＲＦＩＤ（Radio Frequency IDentification）タグをクレードル６に予め付与しておくようにする。そして、ＩＰ電話端末５がクレードル６に設置されたことを契機に、ＩＰ電話端末５が備えている不図示のＲＦＩＤリーダを起動して、ＲＦＩＤタグからクレードル番号を読み出すようにしてもよい。
【００３８】
次に図３について説明する。図３は、ＩＰ電話端末５のスイッチ部５４の構造が図解されている。
ＩＰ電話端末５のスイッチ部５４は、固定接点５５ａ及び５５ｂ、可動接触子５６、並びにコイルばね５７を備えている。一方、クレードル６の端末連携部６３は、押圧部材６７及び押圧部材制御部６８を備えている。
【００３９】
ＩＰ電話端末５がクレードル６に載置されていないときは、コイルばね５７は可動接触子５６を押圧して、可動接触子５６を固定接点５５ａ及び５５ｂに接触させた状態で保持する。この状態では、バッテリ部５３は、ＩＰ電話端末５の各部に対し、固定接点５５ａ及び５５ｂ及び可動接触子５６を経由して、電力の供給を行う。
【００４０】
一方、このＩＰ電話端末５がクレードル６に載置されている状態では、押圧部材６７が、ＩＰ電話端末５の筐体に設けられている孔５８を貫いて、コイルばね５７とは逆の方向に可動接触子５６を押圧すれば、可動接触子５６を固定接点５５ａ及び５５ｂから離す。この結果、ＩＰ電話端末５の電源がオフにされて、バッテリ部５３によるＩＰ電話端末５の各部に対する電力の供給が停止される。電源がこのようにしてオフにされた場合には、ＩＰ電話端末５では前述したような省電力モードでの動作も行わない。
【００４１】
また、載置されているＩＰ電話端末５がこの後にクレードル６から取り出されると、コイルばね５７が可動接触子５６を押圧して固定接点５５ａ及び５５ｂに接触させる。この結果、ＩＰ電話端末５の電源がオンにされて、バッテリ部５３によるＩＰ電話端末５の各部に対する電力の供給が開始される。
【００４２】
押圧部材制御部６８は、通信部６１を介して受け取る呼制御サーバ２からの指示に従って押圧部材６７の位置を制御して、クレードル６に載置されているＩＰ電話端末５への押圧部材６７の貫入量を変化させる。従って、呼制御サーバ２は、この指示により、ＩＰ電話端末５がクレードル６に載置されている状態でも、可動接触子５６を固定接点５５ａ及び５５ｂに接触させた状態としてバッテリ部５３からＩＰ電話端末５の各部に対し電力の供給を行わせることもできる。
【００４３】
次に図４について説明する。図４は、呼制御サーバ２の端末管理部２４で保持されている端末管理データテーブルの例である。
このデータテーブルでは、ＩＰ電話端末５の各々についての「電話番号」、「ＩＰアドレス」、「クレードル載置状態」、「端末状態」の情報と、クレードル６の「クレードル番号」の情報とが、対応付けられている。
【００４４】
ＩＰ電話端末５についての「電話番号」及び「ＩＰアドレス」の欄には、それぞれ、ＩＰ電話端末５の各々に個々に割り当てられている電話番号の情報及びＩＰアドレスの情報が予め格納されている。この「電話番号」と「ＩＰアドレス」との両データの対応関係は、図１の通信システムの管理者等によって設定される。「ＩＰアドレス」のデータはＩＰ電話端末５との制御情報のやり取り等に用いられる。
【００４５】
「クレードル載置状態」の情報は、「電話番号」で特定されるＩＰ電話端末５の現在のクレードル６への載置状態を示す情報として、『載置』か『未載置』かを示す情報が呼制御部２１によって登録される。
【００４６】
「端末状態」の情報は、「電話番号」で特定されるＩＰ電話端末５のバッテリ部５３及びスイッチ部５４の現在の状態を示す情報として、『電源ＯＦＦ』、『充電中』、及び『待ち受け中』のいずれかを示す情報が呼制御部２１によって登録される。
【００４７】
これらの「クレードル設置状態」及び「端末状態」の両データは、ＩＰ電話端末５への着信時の給電制御に用いられる。より具体的に説明すると、例えば、クレードル６に『載置』されている『電源ＯＦＦ』状態のＩＰ電話端末５に対する着信を検知したとき、呼制御サーバ２は、まず、このＩＰ電話端末５が設置されているクレードル６の電源をオンにする制御を行う。次に、呼制御サーバ２は、このＩＰ電話端末５の電源をオンにする制御を行う。その後、呼制御サーバ２は、このＩＰ電話端末５について、位置登録エリアの特定や無線一斉呼出し（ページング）等の通常の着信制御を行う。
【００４８】
「クレードル番号」の情報は、「電話番号」で特定されるＩＰ電話端末５が現在載置されているクレードルを特定する、前述のクレードル番号の情報が呼制御部２１によって登録される。
【００４９】
図４のデータ例の一部のデータ内容を説明する。『ＤＮ１』なる電話番号が予め割り当てられているＩＰ電話端末５には、『Ａ．Ｂ．Ｃ．Ｄ１』なるＩＰアドレスが予め割り当てられている。このＩＰ電話端末５は、現在のところ、クレードル６に『載置』の状態であり、このＩＰ電話端末５は『電源オフ』の状態となっている。そして、このＩＰ電話端末５が現在載置されているのは、『Ｉ．Ｊ．Ｋ．Ｌ１』なるクレードル番号が予め割り当てられているクレードル６である。図４のデータ例における第一行目には、以上の内容のデータが示されている。
【００５０】
この端末管理データテーブルにおける「クレードル載置状態」、「端末状態」、及び「クレードル番号」の各情報は、呼制御サーバ２によって設定される。
例えば、ＩＰ電話端末５は、クレードル６に載置されると、その旨を示す載置情報を呼制御サーバ２に通知する。呼制御サーバ２は、この載置情報の通知をＩＰ電話端末５から受けると、クレードル６の電源をオンにする制御を行うと共に、ＩＰ電話端末５についての「クレードル設置状態」のデータを『載置』に設定する。更に、呼制御サーバ２は、ＩＰ電話端末５が載置されたクレードル６に予め付与されておりＩＰ電話端末５がメモリ部６６から読み出したクレードル番号を「クレードル番号」の欄に登録する。呼制御サーバ２は、各種制御の対象とする、ＩＰ電話端末５が載置されているクレードル６を、この「クレードル番号」の欄の情報を用いて特定する。
【００５１】
また、呼制御サーバ２は、ＩＰ電話端末５のバッテリ部５３が満充電状態になった旨の通知を受けると、クレードル６の電源をオフにする制御を行うと共に、このＩＰ電話端末５についての「端末状態」のデータを『電源ＯＦＦ』に設定する。更に、クレードル６から取り出されて待ち受け状態に遷移した旨の通知をＩＰ電話端末５から受けたときは、呼制御サーバ２は、このＩＰ電話端末５についての「端末状態」及び「クレードル設置状態」のデータをそれぞれ『待ち受け中』及び『未載置』に設定する。
【００５２】
なお、待ち受け状態とは、呼制御サーバ２から無線基地局３を介して送られてくるＩＰ電話端末５宛の呼を当該ＩＰ電話端末５で直ちに着信することのできる状態である。ＩＰ電話端末５は、クレードル６から取り出されると、それまで電源がオフであったとしても必ずオンの状態になり、待ち受け状態に遷移する。このとき、ＩＰ電話端末５は、待ち受け状態に遷移した旨の通知を、無線基地局３を介して呼制御サーバ２へ送付する。
【００５３】
また、クレードル６に載置されているＩＰ電話端末５がクレードル６からの給電を受けてバッテリ部５３の充電を行っているときには、呼制御サーバ２は、このＩＰ電話端末５についての「端末状態」のデータを『充電中』に設定する。なお、この『充電中』状態のＩＰ電話端末５は、電源がオン状態であり、且つ通常の待ち受け状態にある。従って、『充電中』状態のＩＰ電話端末５は、通常の手順で着信が可能である。
【００５４】
なお、図１の通信システムでは、クレードル番号としてＩＰアドレス（ＩＰｖ４形式）をそのまま用いている。この代わりに、例えば、ＩＰアドレスとは異なるクレードル番号とクレードル６のＩＰアドレスの対応関係のテーブルを呼制御サーバ２で保持しておくようにして、ＩＰアドレスと異なる体系のクレードル番号を用いるようにしてもよい。
【００５５】
また、ＩＰ電話端末５のＩＰレベルの移動管理をＭｏｂｉｌｅ  ＩＰで行う場合には、ＩＰ電話端末５のＩＰアドレスとして固定のホーム・アドレスと移動先ネットワークで動的に割り当てられる気付アドレスの２種類が使用される。この場合においては、例えば、図４の端末管理データテーブルにおける「ＩＰアドレス」はホーム・アドレスを設定するようにし、気付アドレスは呼制御サーバで管理する代わりに、不図示のホーム・エージェントで管理するようにする。
【００５６】
次に図５について説明する。図５は、呼制御サーバ２のシステムデータ管理部２５で保持されているシステムデータ管理データテーブルの例である。
このデータテーブルには、クレードル６の識別情報とクレードル６に給電を行う給電ハブ４との関係が示されている。より具体的には、このデータテーブルでは、クレードル６の各々についての「クレードル番号」の情報と、給電ハブ４のＩＰアドレス及びポート番号の情報とが、対応付けられている。
【００５７】
「クレードル番号」の欄には、クレードル６の各々に個々に割り当てられているクレードル番号の情報が予め格納されている。
「給電ハブ、ポート」の欄には、「クレードル番号」で特定されるクレードル６がポートに接続されている給電ハブ４に割り当てられているＩＰアドレスと、当該ポートに割り当てられているポート番号との情報が予め格納されている。
【００５８】
図５のデータ例の一部のデータ内容を説明する。『Ｉ．Ｊ．Ｋ．Ｌ１』なるクレードル番号が予め割り当てられているクレードル６は、『Ｈ１１．Ｈ１２．Ｈ１３．Ｈ１４』なるＩＰアドレスが予め割り当てられている給電ハブ４における『Ｐ１』なるポート番号のポートに接続されている。図５のデータ例における第一行目には、以上の内容のデータが示されている。
【００５９】
このシステムデータ管理データテーブルは、例えば、呼制御サーバ２が、着信時の給電制御を行う過程において、着信先であるＩＰ電話端末５が設置されているクレードル６への給電を指示する対象とする給電ハブ４を特定するために使用される。
【００６０】
次に、図１の通信システムにおける呼制御サーバ２及びＩＰ電話端末５おける処理手順について説明する。
まず図６について説明する。図６は、呼制御サーバ２での処理手順を図解したフローチャートである。
【００６１】
この図６の処理手順がＳ１００において開始されると、まず、通信部２６がＩＰネットワーク１から受信した各種の要求・通知の内容を呼制御部２１が判別する。そして、その判別結果に応じ、Ｓ１０１、Ｓ１１１、Ｓ１２１、Ｓ１３１、及びＳ１４１からの各処理のいずれかを開始させる。
【００６２】
受信した要求・通知の内容が、ＩＰ電話端末５から送信された、当該ＩＰ電話端末５がクレードル６に載置された旨を示す載置情報であった場合には、呼制御部２１は、Ｓ１０１からの処理を開始させる。そして、まず、Ｓ１０１において、載置情報の受信時の制御処理を呼制御部２１が行う。この処理では、まず、載置情報の内容を解析し、当該載置情報の送信元であるＩＰ電話端末５のＩＰアドレスの情報、及び当該ＩＰ電話端末５が載置されたクレードル６のクレードル番号の情報を抽出する。そして、前述した端末管理データテーブルにおける当該ＩＰ電話端末５についての「クレードル載置状態」の情報を『載置』に更新すると共に、当該ＩＰ電話端末５についての「クレードル番号」の情報として、載置情報から抽出したクレードル番号を設定する。
【００６３】
次に、Ｓ１０２では、呼制御部２１は、載置情報の送信元であるＩＰ電話端末５が載置されたクレードル６への給電開始の指示を給電制御部２２に与える処理を行う。当該指示を受けた給電制御部２２は、クレードル６への給電開始の制御処理を行う。
【００６４】
この処理では、給電制御部２２は、まず、端末管理データテーブルを参照して、当該載置情報の送信元であるＩＰ電話端末５についての「クレードル番号」の情報を取得する。次に、前述したシステムデータ管理部２５のシステムデータ管理データテーブルを参照する。そして、端末管理データテーブルから取得したクレードル番号にシステムデータ管理データテーブルで対応付けられている給電ハブ４についてのＩＰアドレス及びポート番号の情報を取得する。そして、通信部２６を制御して、当該ＩＰアドレスである給電ハブ４を宛先とし、当該ポート番号の情報を含む給電開始指示情報を、ＩＰネットワーク１に送信させる。
【００６５】
なお、この給電開始指示情報を受信した給電ハブ４は、当該情報に含まれているポート番号で特定される通信ポートからの送電を開始して、当該通信ポートに接続されているクレードル６への給電を開始する。すると、クレードル６は、当該クレードル６に載置されているＩＰ電話端末５（載置情報の送信元）へ、給電ハブ４から送られてくる電力の給電を開始する。
【００６６】
ＩＰ電話端末５は、クレードル６から給電される電力を用いてバッテリ部５３の充電を行う。ＩＰ電話端末５は、バッテリ部５３が充電中の期間も待ち受け状態にあり、自身宛ての呼に対する着信処理を行うことができる。その後、ＩＰ電話端末５は、この充電が完了すると、その旨を示す充電完了情報を送信し、無線基地局３を介して呼制御サーバ２に通知する。
【００６７】
なお、給電制御部２２は、給電開始指示情報を通信部２６に送信させる制御処理と並行して、端末管理部２４の端末管理データテーブルにおける当該ＩＰ電話端末５についての「端末状態」の情報を『充電中』に設定する処理も行う。
【００６８】
次に、Ｓ１０３では、ＩＰ電話端末５から無線基地局３を介して送られてくる待ち受け状態に遷移した旨の通知、若しくは他の電話端末から送られてくるＩＰ電話端末５宛ての着信要求を通信部２６が受信したか否かを判定する処理を呼制御部２１が行う。ここで、待ち受け状態遷移通知若しくは着信要求を通信部２６が受信したと判定したとき（判定結果がＹｅｓのとき）には、Ｓ１１１（待ち受け状態遷移通知を受信したと判定したとき）若しくはＳ１３１（着信要求を受信したと判定したとき）に処理を進める。一方、待ち受け状態遷移通知及び着信要求のどちらも通信部２６は受信していないと判定したとき（判定結果がＮｏのとき）にはＳ１０４に処理を進める。
【００６９】
Ｓ１０４では、Ｓ１０２の処理での指示によってバッテリ部５３の充電が開始されたＩＰ電話端末５から送られてくる前述した充電完了情報を通信部２６に受信させる処理を給電制御部２２が行い、この充電完了情報の受信を確認するとＳ１０５に処理を進める。
【００７０】
Ｓ１０５では、充電完了情報を送信したＩＰ電話端末５が載置されているクレードル６、すなわち、Ｓ１０２の処理での指示に従いＩＰ電話端末５へ給電を行っているクレードル６に対し、ＩＰ電話端末５の電源をオフにする指示をする処理を給電制御部２２が行う。この処理では、給電制御部２２は、まず、端末管理部２４の端末管理データテーブルを参照して、当該充電完了情報の送信元であるＩＰ電話端末５が載置されているクレードル６の「クレードル番号」の情報を取得する。そして、通信部２６を制御して、当該「クレードル番号」で示されているＩＰアドレスを宛先とする電話端末電源オフ指示情報を、ＩＰネットワーク１に送信させる。この電話端末電源オフ指示情報を通信部６１で受け取ったクレードル６では、押圧部材制御部６８が押圧部材６７の位置を制御して、ＩＰ電話端末５の電源をオフにする。前述したように、電源がこのようにしてオフにされたＩＰ電話端末５では、前述したような省電力モードでの動作も行われない。
【００７１】
次に、Ｓ１０６では、給電制御部２２が、端末管理部２４の端末管理データテーブルにおける当該ＩＰ電話端末５についての「端末状態」の情報を『電源ＯＦＦ』に更新する処理を行う。
【００７２】
次に、Ｓ１０７では、Ｓ１０５の処理により電源をオフにしたＩＰ電話端末５が載置されているクレードル６への給電ハブ４からの給電の停止を当該給電ハブ４に指示する処理を給電制御部２２が行う。この処理では、給電制御部２２は、まず、システムデータ管理部２５のシステムデータ管理データテーブルを参照する。そして、Ｓ１０５の処理で端末管理データテーブルから取得したクレードル番号にシステムデータ管理データテーブルで対応付けられている給電ハブ４についてのＩＰアドレス及びポート番号の情報を取得する。そして、通信部２６を制御して、当該ＩＰアドレスである給電ハブ４を宛先とし、当該ポート番号の情報を含む給電停止指示情報を、ＩＰネットワーク１に送信させる。この給電停止指示情報を通信部４２で受け取った給電ハブ４は、当該情報に含まれているポート番号で特定される通信ポートからの送電を停止して、当該通信ポートに接続されているクレードル６への給電を停止する。
【００７３】
呼制御サーバ２は、上述したＳ１０７の処理を終えた後は、Ｓ１００へ処理を戻して図６の処理手順を改めて開始する。
ところで、Ｓ１００において、通信部２６が受信した各種の要求・通知の内容が、ＩＰ電話端末５から送信された、当該ＩＰ電話端末５が待ち受け状態に遷移した旨の通知であったと判別した場合には、呼制御部２１は、Ｓ１１１からの処理を開始させる。そして、まず、Ｓ１１１において、端末管理部２４の端末管理データテーブルにおける当該ＩＰ電話端末５についての「クレードル載置状態」の情報を『未載置』に更新すると共に、この通知（待ち受け状態情報）を解析する処理を呼制御部２１が行う。そして、続くＳ１１２において、端末管理部２４の端末管理データテーブルにおける当該ＩＰ電話端末５についての「端末状態」の情報を『待ち受け中』に更新する処理を呼制御部２１が行う。その後、呼制御サーバ２は、Ｓ１００へ処理を戻して図６の処理手順を改めて開始する。
【００７４】
また、Ｓ１００において、通信部２６が受信した各種の要求・通知の内容が、ＩＰ電話端末５から送信された、他の電話端末宛ての発信要求であったと判別した場合には、呼制御部２１は、Ｓ１２１からの処理を開始させる。そして、まず、Ｓ１２１において、呼制御部２１が当該発信要求を解析する処理を行い、続くＳ１２２において、呼制御部２１が当該発信要求に基づいて当該他の電話端末宛ての発信制御処理を行う。この発信制御処理の処理内容は広く知られている既存の処理であるので、ここでは詳細な説明を省略する。なお、この発信要求が、呼制御サーバ２により管理されているＩＰ電話端末５宛てのものであった場合には、呼制御サーバ２は、後述するＳ１３１以降の処理の実行もここで開始する。
【００７５】
次に、Ｓ１２３では、発信要求を送信したＩＰ電話端末５が通話状態に遷移したことを呼制御部２１が確認した上で、給電制御部２２は、当該ＩＰ電話端末５が載置されていたクレードル６へ給電ハブ４から給電を行っていた場合は、その給電の停止を当該給電ハブ４に指示する処理を行う。なお、ここでは当該ＩＰ電話端末５が通話状態に遷移したときに給電の停止を指示するようにしているが、より早く、例えば当該ＩＰ電話端末５からの発信要求を受信した際に、給電の停止を指示するようにされても良い。
【００７６】
本実施例では、ＩＰ電話端末５で通話を行うには、ＩＰ電話端末５をクレードル６から取り出す必要があるものとしている。従って、この処理では、まず、発信要求を送信したＩＰ電話端末５が通話状態に遷移したことを確認すると、呼制御部２１が、端末管理部２４の端末管理データテーブルにおける当該ＩＰ電話端末５についての「クレードル載置状態」の情報が『載置』であった場合に、当該情報を『未載置』に更新する。次に、給電制御部２２が、当該ＩＰ電話端末５が載置されているクレードル６の「クレードル番号」の情報を端末管理データテーブルから取得する。次に、給電制御部２２が、端末管理部２４の端末管理データテーブルにおける当該ＩＰ電話端末５についての「端末状態」の情報が『充電中』であることを確認すると、システムデータ管理部２５のシステムデータ管理データテーブルを参照する。そして、端末管理データテーブルから取得したクレードル番号にシステムデータ管理データテーブルで対応付けられている給電ハブ４についてのＩＰアドレス及びポート番号の情報を取得する。そして、次に、通信部２６を制御して、当該ＩＰアドレスである給電ハブ４を宛先とし、当該ポート番号の情報を含む給電停止指示情報を、ＩＰネットワーク１に送信させる。
【００７７】
この給電停止指示情報を通信部４２で受け取った給電ハブ４は、当該情報に含まれているポート番号で特定される通信ポートからの送電を停止して、当該通信ポートに接続されているクレードル６への給電を停止する。
【００７８】
上述したＳ１２３の処理の完了後、呼制御サーバ２は、Ｓ１００へ処理を戻して図６の処理手順を改めて開始する。
また、Ｓ１００において、通信部２６が受信した各種の要求・通知の内容が、他の電話端末から送信された、ＩＰ電話端末５宛ての着信要求であったと判別した場合には、呼制御部２１は、Ｓ１３１からの処理を開始させる。そして、まず、Ｓ１３１において、呼制御部２１が当該着信要求を解析する処理を行う。
【００７９】
次に、Ｓ１３２では、呼制御部２１が端末管理部２４の端末管理データテーブルを参照して、着信要求の宛先であるＩＰ電話端末５についての「端末状態」が『待ち受け中』であるか否かを判定する処理を行う。ここで、「端末状態」が『待ち受け中』であるとき（判定結果がＹｅｓのとき）にはＳ１３７に処理を進め、「端末状態」が『待ち受け中』ではないとき（判定結果がＮｏのとき）にはＳ１３３に処理を進める。
【００８０】
次に、Ｓ１３３では、呼制御部２１が端末管理部２４の端末管理データテーブルを参照して、着信要求の宛先であるＩＰ電話端末５についての「端末状態」が『充電中』であるか否か（すなわち、待ち受け状態にあるか否か）を判定する処理を行う。ここで、「端末状態」が『充電中』であるとき（判定結果がＹｅｓのとき）にはＳ１３７に処理を進め、「端末状態」が『充電中』ではないとき（判定結果がＮｏのとき）にはＳ１３４に処理を進める。
【００８１】
上述のＳ１３２及びＳ１３３の判定処理の結果が共にＮｏである場合とは、当該着信要求の宛先であるＩＰ電話端末５の電源がオフとされていて待ち受け状態にはない場合である。この場合には、以下のＳ１３４からＳ１３６の処理が行われる。
【００８２】
まず、Ｓ１３４では、呼制御部２１は、着信要求の宛先であるＩＰ電話端末５が載置されたクレードル６への給電開始の指示を給電制御部２２に与える処理を行う。当該指示を受けた給電制御部２２は、クレードル６への給電開始の制御処理を行う。
【００８３】
この処理では、給電制御部２２は、まず、端末管理データテーブルを参照して、着信要求の宛先であるＩＰ電話端末５についての「クレードル番号」の情報を取得する。次に、前述したシステムデータ管理部２５のシステムデータ管理データテーブルを参照する。そして、端末管理データテーブルから取得したクレードル番号にシステムデータ管理データテーブルで対応付けられている給電ハブ４についてのＩＰアドレス及びポート番号の情報を取得する。そして、通信部２６を制御して、当該ＩＰアドレスである給電ハブ４を宛先とし、当該ポート番号の情報を含む給電開始指示情報を、ＩＰネットワーク１に送信させる。すると、この給電開始指示情報を受信した給電ハブ４は、当該情報に含まれているポート番号で特定される通信ポートからの送電を開始して、当該通信ポートに接続されているクレードル６への給電を開始する。
【００８４】
次に、Ｓ１３５では、着信要求の宛先のＩＰ電話端末５が載置されているクレードル６、すなわち、Ｓ１３４の処理での指示に従い給電ハブ４からの給電が開始されたクレードル６に対し、ＩＰ電話端末５の電源をオンにする指示をする処理を給電制御部２２が行う。この処理では、給電制御部２２は、通信部２６を制御して、Ｓ１３４の処理で取得した、着信要求の宛先であるＩＰ電話端末５についての「クレードル番号」で示されているＩＰアドレスを宛先とする電話端末電源オン指示情報を、ＩＰネットワーク１に送信させる。この電話端末電源オン指示情報を通信部６１で受け取ったクレードル６では、押圧部材制御部６８が押圧部材６７の位置を制御して、ＩＰ電話端末５の電源をオンにする。この処理により、それまで電源がオフであったＩＰ電話端末５は、電源がオンとされて待ち受け状態に遷移する。従って、それまで電源がオフとされていて前述したような省電力モードでの動作が行われていないＩＰ電話端末５でも、この処理以降は自身宛の着信要求に応じることが可能になる。
【００８５】
次に、Ｓ１３６では、端末管理部２４の端末管理データテーブルにおける、着信要求の宛先であるＩＰ電話端末５についての「端末状態」の情報を『待ち受け中』に更新する処理を呼制御部２１が行う。なお、この端末管理データテーブルの更新は、電源がオンとされたＩＰ電話端末５から送られてくる、当該ＩＰ電話端末５が待ち受け状態に遷移した旨の通知を受けて行うようにしてもよい。
【００８６】
次に、Ｓ１３７では、呼制御部２１が着信要求に基づいてＩＰ電話端末５宛ての着信制御処理を行う。この着信制御処理の処理内容は広く知られている既存の処理であるので、ここでは詳細な説明を省略する。
【００８７】
次に、Ｓ１３８では、着信要求の宛先であるＩＰ電話端末５が通話状態に遷移したことを呼制御部２１が確認した上で、給電制御部２２が、当該ＩＰ電話端末５が載置されていたクレードル６への給電ハブ４からの給電の停止を当該給電ハブ４に指示する処理を行う。この処理の詳細は、前述したＳ１２３の処理と同様のものであり、呼制御部２１が、端末管理部２４の端末管理データテーブルにおける当該ＩＰ電話端末５についての「クレードル載置状態」の情報を『未載置』に更新する処理等が行われる。
【００８８】
上述したＳ１３８の処理の完了後、呼制御サーバ２は、Ｓ１００へ処理を戻して図６の処理手順を改めて開始する。
また、Ｓ１００において、通信部２６が受信した各種の要求・通知の内容が、通話状態であったＩＰ電話端末５から送信された、回線の切断要求であったと判別した場合には、呼制御部２１は、Ｓ１４１からの処理を開始させる。そして、まず、Ｓ１４１において、呼制御部２１が当該切断要求を解析する処理を行い、続くＳ１４２において、呼制御部２１が、当該切断要求の解析結果に基づいて、ＩＰ電話端末５が通話に使用している回線の切断制御処理を行う。この切断制御処理の処理内容は広く知られている既存の処理であるので、ここでは詳細な説明を省略する。その後、呼制御サーバ２は、Ｓ１００へ処理を戻して図６の処理手順を改めて開始する。
【００８９】
図６の処理手順は以上のようにして呼制御サーバ２により行われる。なお、この図６の処理手順は、呼制御サーバ２が検出した要求・通知の内容に対応して行われる処理を独立に図解したものである。例えば、クレードル６からの給電を受けて充電中のＩＰ電話端末５に対して着信要求を受信した場合には、充電処理を一時停止して着信処理を優先するといった割り込み制御を行うようにする。
【００９０】
次に図７について説明する。図７は、ＩＰ電話端末５での処理手順を図解したフローチャートである。
この図７の処理手順がＳ２００において開始されると、まず、Ｓ２０１において、主制御部５１が、前述の不図示のユーザインタフェースを介してユーザから受け取る所定の指示に応じて、ＩＰ電話端末５自身の電源をオンとする処理を行う。なお、このとき、ＩＰ電話端末５はクレードル６から取り出されている状態にある。すると、Ｓ２０２に処理が進み、電源がオンとされたＩＰ電話端末５は待ち受け状態に遷移する。
【００９１】
次に、Ｓ２０３において、主制御部５１は、無線通信部５２を制御して、このＩＰ電話端末５が待ち受け状態に遷移した旨の通知を呼制御サーバ２へ宛てて送信する。なお、この通知には、ＩＰ電話端末５の識別情報としてＩＰアドレスの情報が含まれる。呼制御サーバ２は、この通知を無線基地局３及びＩＰネットワーク１を介して受け取ると、前述した図６のＳ１１１からの処理を行う。
【００９２】
次に、Ｓ２０４において、主制御部５１は、ＩＰ電話端末５がクレードル６に載置されている状態であるか否かを判定する処理を行う。この判定は、例えば、ＩＰ電話端末５に設けた、クレードル６に載置されるとオンとなりクレードル６から取り出されるとオフとなる機構を備えたスイッチのオン・オフの状態を検知することで行う。ここで、ＩＰ電話端末５がクレードル６に載置されている状態であると判定したとき（判定結果がＹｅｓのとき）にはＳ２０５に処理を進める。一方、ＩＰ電話端末５がクレードル６に載置されている状態にはないと判定したとき（判定結果がＮｏのとき）にはＳ２１３若しくはＳ２１５に処理を進める。
【００９３】
次に、Ｓ２０５において、主制御部５１は、無線通信部５２を制御して、前述した載置情報を呼制御サーバ２へ宛てて送信する。なお、この通知には、ＩＰ電話端末５のＩＰアドレスの情報が含まれており、更に、ＩＰ電話端末５が載置されているクレードル６のクレードル番号が、メモリ部６６から読み出されて含まれている。呼制御サーバ２は、この載置情報を無線基地局３及びＩＰネットワーク１を介して受け取ると、前述した図６のＳ１０１からの処理を行う。
【００９４】
次に、Ｓ２０６では、主制御部５１は、図６のＳ１０２の処理によって開始されるクレードル６からの給電を受けてバッテリ部５３の充電の処理を行う。
この充電処理の間、主制御部５１は、ＩＰ電話端末５の各部を監視し、その各部での検出結果に応じて、Ｓ２０７、Ｓ２０８、及びＳ２０９の各処理手順を開始する。
【００９５】
ここで、このＩＰ電話端末５に対する着信要求を無線通信部５２が検出した場合（Ｓ２０７）には、Ｓ２１６に処理を進める。
一方、ここで、ＩＰ電話端末５がクレードル６から取り出されたことが、例えば前述のクレードル６から取り出されるとオフとなる機構を備えたスイッチの状態に基づき主制御部５１が検出した場合（Ｓ２０８）には、Ｓ２０２へ処理を戻す。そして、そこから改めて前述した処理を主制御部５１が行う。
【００９６】
また、ここで、バッテリ部５３の充電完了（満充電）を主制御部５１が検出した場合（Ｓ２０９）には、Ｓ２１０から始まる以下の処理を行う。
まず、Ｓ２１０において、主制御部５１は、無線通信部５２を制御して、前述した充電完了情報を呼制御サーバ２へ宛てて送信する。なお、この通知には、ＩＰ電話端末５のＩＰアドレスの情報が含まれている。
【００９７】
呼制御サーバ２は、前述した図６のＳ１０４の処理においてこの充電完了情報を無線基地局３及びＩＰネットワーク１を介して受け取ると、前述した図６のＳ１０５からの処理を行う。従って、Ｓ１０５の処理が行われることで、このＩＰ電話端末５の電源がクレードル６によってオフとされる（Ｓ２１１）。
【００９８】
その後、Ｓ２１２において、ＩＰ電話端末５が、クレードル６から取り出されることによって、若しくは呼制御サーバ２が図６のＳ１３５の処理を行うことによって、電源がオンとされたことを検出する処理を主制御部５１が行う。ここで、電源がオンとされたことが検出されたとき（Ｓ２１２の判定結果がＹｅｓとなったとき）には、Ｓ２０２へ処理を戻し、そこから改めて前述した処理を主制御部５１が行う。
【００９９】
ところで、前述したＳ２０４の処理の判定結果がＮｏであったときには、主制御部５１は、ＩＰ電話端末５の各部を監視してＩＰ電話端末５についての発信要求及び着信要求の検出を行う。そして、その検出結果に応じてＳ２１３及びＳ２１６からの各処理のどちらかを開始する。
【０１００】
ここで、前述の不図示のユーザインタフェースを介してユーザから受け取る、このＩＰ電話端末５からの発信要求を主制御部５１が検出した場合（Ｓ２１３）には、Ｓ２１４に処理を進めて、主制御部５１が当該発信要求に基づいて所定の発信制御処理を行う。この発信制御処理の処理内容は広く知られている既存の処理であるので、ここでは詳細な説明を省略する。その後、Ｓ２１７に処理が進み、ＩＰ電話端末５は通話状態に遷移する。
【０１０１】
一方、ここで、このＩＰ電話端末５に対する着信要求を無線通信部５２が検出した場合（Ｓ２１５）には、Ｓ２１６に処理を進めて、主制御部５１が当該着信要求に基づいて所定の着信制御処理を行う。この着信制御処理の処理内容も広く知られている既存の処理であるので、ここでは詳細な説明を省略する。その後、Ｓ２１７に処理が進み、ＩＰ電話端末５は通話状態に遷移する。
【０１０２】
その後、主制御部５１は、前述の不図示のユーザインタフェースを介してユーザから受け取る、若しくは、通話相手の電話端末から送付される、このＩＰ電話端末５が使用中の回線の切断要求を検出した場合には、Ｓ２１８において、この回線の切断制御処理を行う。この切断制御処理の処理内容は広く知られている既存の処理であるので、ここでは詳細な説明を省略する。その後、Ｓ２１９に処理が進み、使用していた回線が切断されたＩＰ電話端末５は待ち受け状態に遷移する。そして、その後はＳ２０４へ処理を戻し、そこから改めて前述した処理を主制御部５１が行う。
【０１０３】
次に図８Ａ及び図８Ｂについて説明する。図８Ａ及び図８Ｂは、図１の通信システムを構成している各部で行われる処理手順の一例の相互関係を図解したものである。
まず、図８Ａを用いて、ＩＰ電話端末５ａの電源がユーザによってオンとされ、その後にクレードル６ａに載置されてバッテリ部５３の充電が行われる場合の処理手順を説明する。
【０１０４】
ＩＰ電話端末５ａでは、図７の処理手順が実行されている。従って、図８Ａにおいて、［１］として示されているようにＩＰ電話端末５ａの電源がユーザによってオンとされる（図７のＳ２０１）と、［２］として示されているように、ＩＰ電話端末５ａは待ち受け中状態に遷移する（図７のＳ２０２）。
【０１０５】
次に、［３］として示されているように、ＩＰ電話端末５ａは、このＩＰ電話端末５が待ち受け状態に遷移した旨の通知を呼制御サーバ２へ宛てて送信する（図７のＳ２０３）。この通知は、無線基地局３ａを介して呼制御サーバ２に届く。
【０１０６】
呼制御サーバ２では、上記の通知を受け取ると、図６のＳ１１１からの処理が実行されて、端末管理部２４の端末管理データテーブルにおけるＩＰ電話端末５ａについての「クレードル載置状態」及び「端末状態」の情報が前述のように更新される。
【０１０７】
ここで、［４］として示されているように、ＩＰ電話端末５ａがクレードル６ａに載置されると（図７のＳ２０４がＹｅｓ）、［５］として示されているように、ＩＰ電話端末５ａは、その旨を示す載置情報を呼制御サーバ２へ宛てて送信する（図８のＳ２０５）。この通知は、無線基地局３ａを介して呼制御サーバ２に届く。
【０１０８】
呼制御サーバ２は、このとき、図６のＳ１０１からの処理を行い、端末管理部２４の端末管理データテーブルの情報を前述のように更新する（図６のＳ１０１）。更に、［６］として示されているように、呼制御サーバ２は、クレードル６ａへの給電開始の指示を給電ハブ４ａに与える（図６のＳ１０２）。
【０１０９】
すると、この指示を受け取った給電ハブ４ａは、［７］として示されているように、クレードル６ａへの給電を前述したようにして開始し、この結果、クレードル６ａに載置されているＩＰ電話端末５ａへ、給電ハブ４から送られてくる電力の給電が行われる。
【０１１０】
ＩＰ電話端末５ａは、クレードル６ａを介して給電されてくる電力を用いて、［８］として示されているように、自身が有しているバッテリ部５３の充電を行う（図７のＳ２０６）。そして、この充電の完了を検出すると（図７のＳ２０９）、［９］として示されているように、前述した充電完了情報を呼制御サーバ２へ宛てて送信する（図７のＳ２１０）。この通知は、無線基地局３ａを介して呼制御サーバ２に届く。
【０１１１】
呼制御サーバ２は、このとき、図６のＳ１０４からの処理を行い、充電完了情報の受信に応じて、［１０］として示されているように、クレードル６ａに対し、ＩＰ電話端末５ａの電源をオフにする指示をする処理を行う（図６のＳ１０５）。すると、この指示を受け取ったクレードル６ａは、［１１］として示されているように、ＩＰ電話端末５ａの電源をオフにするようにスイッチ部５４を制御する。この制御によって、［１２］として示されているように、ＩＰ電話端末５ａの電源がオフの状態となる。
【０１１２】
一方、このとき、呼制御サーバ２では、端末管理部２４の端末管理データテーブルにおけるＩＰ電話端末５ａについての「端末状態」の情報を『電源ＯＦＦ』に更新する処理が行われる（図６のＳ１０６）。更に、呼制御サーバ２は、［１３］として示されているように、呼制御サーバ２は、クレードル６ａへの給電停止の指示を給電ハブ４ａに与える（図６のＳ１０７）。すると、この指示を受け取った給電ハブ４ａは、クレードル６ａへの給電を前述したようにして停止する。
【０１１３】
次に、この状態において、ユーザがＩＰ電話端末５ａを用いてＩＰ電話端末５ｂとの間で通話を行う場合の処理手順を、図８Ａ及び図８Ｂを用いて説明する。
なお、以下の説明では、前述した［１］から［１３］の処理手順が、ＩＰ電話端末５ｂ、クレードル６ｂ、給電ハブ４ｂ、無線基地局３ｂ、及び呼制御サーバ２の相互間でも行われていたものとする。従って、この結果、着信側電話端末であるＩＰ電話端末５ｂは、バッテリ部５３の充電が完了した状態で電源がオフの状態にあり、給電ハブ４ｂは、クレードル６ｂ及びＩＰ電話端末５ｂへの給電が停止した状態にある。
【０１１４】
まず、図８Ａにおいて、［１４］として示されているように、発信側電話端末であるＩＰ電話端末５ａがユーザによりクレードル６ａから取り出されると、［１５］として示されているように、ＩＰ電話端末５ａの電源がオンとされる。すると、ＩＰ電話端末５ａでは、図７のＳ２１２の判定処理の結果がＹｅｓとなり、［１６］として示されているように、ＩＰ電話端末５ａは待ち受け状態に遷移する（図７のＳ２０２）。
【０１１５】
次に、［１７］として示されているように、ＩＰ電話端末５ａは、このＩＰ電話端末５が待ち受け状態に遷移した旨の通知を呼制御サーバ２へ宛てて送信する（図７のＳ２０３）。この通知は、無線基地局３ａを介して呼制御サーバ２に届く。
【０１１６】
呼制御サーバ２は、このとき、図６のＳ１１１からの処理を行い、端末管理部２４の端末管理データテーブルにおけるＩＰ電話端末５ａについての「クレードル載置状態」及び「端末状態」の情報を前述のように更新する。
なお、このとき、ＩＰ電話端末５ａはクレードル６ａから取り出された状態にあるので、図７のＳ２０４の判定処理の結果はＮｏとなる。
【０１１７】
次に、図８Ｂに進み、ＩＰ電話端末５ａは、ユーザからの発信要求指示を検出すると（図７のＳ２１３）、［１８］として示されているように、所定の発信処理を実行してＩＰ電話端末５ｂを着信先とする発信要求を呼制御サーバ２へ送信する（図７のＳ２１４）。この発信要求は、無線基地局３ａを介して呼制御サーバ２に届く。
【０１１８】
呼制御サーバ２では、この発信要求を受け取ると、図６のＳ１２１からの処理が実行されて、ＩＰ電話端末５ｂを着信先とする所定の発信制御処理が行われる（図６のＳ１２２）。
【０１１９】
なお、この発信制御処理における着信先は、呼制御サーバ２が管理しているＩＰ電話端末５ｂであるので、呼制御サーバ２では、このときに、ＩＰ電話端末５ｂを対象としてＳ１３１以降の処理の実行が並行して開始される。
【０１２０】
ここで、このときのＩＰ電話端末５ｂは、前述したように電源がオフの状態である。従って、ＩＰ電話端末５ｂは、このままでは着信要求を受け取って所定の着信処理を実行することができない。そこで、呼制御サーバ２では、図６のＳ１３２及びＳ１３３の判定処理の結果が共にＮｏとなるので、［１９］として示されているように、呼制御サーバ２は、クレードル６ｂへの給電開始の指示を給電ハブ４ｂに与える（図６のＳ１３４）。すると、この指示を受け取った給電ハブ４ｂは、［２０］として示されているように、クレードル６ｂへの給電を前述したようにして開始する。
【０１２１】
また、呼制御サーバ２は、このときに、［２１］として示されているように、クレードル６ｂに対し、ＩＰ電話端末５ｂの電源をオンにする指示をする処理を行う（図６のＳ１３５）。すると、この指示を受け取ったクレードル６ｂは、［２２］として示されているように、ＩＰ電話端末５ｂの電源をオンにするようにスイッチ部５４を制御する。この制御によって、［２３］として示されているように、ＩＰ電話端末５ｂの電源がオンの状態となる。また、このとき、クレードル６ｂは、［２４］として示されているように、ＩＰ電話端末５ｂへの給電も行う。
【０１２２】
ＩＰ電話端末５ｂは、電源がオンの状態となったので、［２５］として示されているように、ＩＰ電話端末５ｂは待ち受け中状態に遷移する（図７のＳ２０２）。このとき、ＩＰ電話端末５ｂは、［２６］として示されているように、自身が待ち受け状態に遷移した旨の通知を呼制御サーバ２へ宛てて送信する（図７のＳ２０３）。この通知は、無線基地局３ｂを介して呼制御サーバ２に届く。
【０１２３】
ここで、前述した発信制御処理を実行中の呼制御サーバ２は、［２７］として示されているように無線一斉呼出しを行って、ＩＰ電話端末５ｂを着信先とする着信要求を送信する。この着信要求は、無線基地局３ｂを介してＩＰ電話端末５ｂに届く。
【０１２４】
ＩＰ電話端末５ｂは、この着信要求を検出すると（図７のＳ２１５）、［２８］として示されているように、所定の着信処理を実行して当該着信要求に応答する通知（着信応答）を呼制御サーバ２へ宛てて送信する（図７のＳ２１６）。この着信応答は、無線基地局３ｂを介して呼制御サーバ２に届く。
【０１２５】
呼制御サーバ２は、この着信応答を受け取ると、［２９］として示されているように、着信制御処理を実行して（図６のＳ１３７）着信応答をＩＰ電話端末５ａへ宛てて送信する。この着信応答は、無線基地局３ａを介してＩＰ電話端末５ａに届く。
【０１２６】
この着信応答をＩＰ電話端末５ａが受信すると、［３０］として示されているように、ＩＰ電話端末５ａとＩＰ電話端末５ｂとの間の通話回線が、無線基地局３ａ及び３ｂを介して開通し、この両者は通話状態となる（図７のＳ２１７）。
【０１２７】
このとき、呼制御サーバ２は、［３１］として示されているように、発信要求を送信したＩＰ電話端末５ａが載置されていたクレードル６ａへの給電停止の指示を給電ハブ４ａに与える（図６のＳ１２３）。すると、この指示を受け取った給電ハブ４ａは、クレードル６ａへの給電が行われていれば、その給電を停止する。更に、このとき、呼制御サーバ２は、［３２］として示されているように、着信応答を送信したＩＰ電話端末５ｂが載置されていたクレードル６ｂへの給電停止の指示を給電ハブ４ｂに与える（図６のＳ１３８）。すると、この指示を受け取った給電ハブ４ｂは、クレードル６ｂへの給電が行われていれば、その給電を停止する。
【０１２８】
その後、通話が終了し、ユーザにより回線切断の要求がＩＰ電話端末５ａに対してなされると、ＩＰ電話端末５ａは切断処理を実行して、［３３］として示されているように、使用中の通話回線の切断要求を呼制御サーバ２へ宛てて送信する（図７のＳ２１８）。この切断要求は、無線基地局３ａを介して呼制御サーバ２に届く。
【０１２９】
呼制御サーバ２は、この切断要求を受け取ると、図６のＳ１４１からの処理が実行されて所定の制御処理が行われ（図６のＳ１４２）、［３４］として示されているように、切断要求をＩＰ電話端末５ｂへ宛てて送信する。
【０１３０】
この切断要求をＩＰ電話端末５ｂが受信すると、ＩＰ電話端末５ａとＩＰ電話端末５ｂとの間の通話回線の切断処理が行われ（図７のＳ２１８）、［３５］として示されているように、この両者は待ち受け状態となる（図７のＳ２１９）。
【０１３１】
この後、ＩＰ電話端末５ａ及び５ｂがクレードル６ａ及び６ｂに載置されるのであれば、そのときの処理手順は上述した手順［４］以降と同様のものになる。また、ＩＰ電話端末５ａ及び５ｂがクレードル６ａ及び６ｂに載置されないのであれば、その場合の発信手順は手順［１８］以降と同様のものになり、その場合の着信手順は手順［２７］以降と同様のものになる。
【０１３２】
図１の通信システムを構成している各部では、以上のような手順で処理が行われる。この結果、ＩＰ電話端末５及びクレードル６に対して行う給電が必要最低限に抑えられるので、通信システムにおける省電力効果を高めることが可能となる。
【０１３３】
なお、上述した図１の通信システムでは、呼制御サーバ２が、通常の呼制御に加えて給電制御も行う。このため、削減されるＩＰ電話端末５の待機時消費電力量と、給電制御を行うことによる呼制御サーバ２との消費電力増加量の関係において、通話頻度（単位時間当りの通話回数）が高いユーザに関しては寧ろ消費電力を高めてしまうことも考えられる。このような場合には、通話頻度が高いユーザのＩＰ電話端末５については電源を常時オンの状態とし、この他の、通話頻度が低いユーザのＩＰ電話端末５についてのみ、前述した処理手順を実行するようにしてもよい。このようにすると、通信システム全体として高い省エネ効果を実現することが可能となる。
【０１３４】
また、図１の通信システムでは、給電制御を呼制御サーバ２が行うようにしている。この代わりに、図４及び図５に提示したデータテーブルを保持し、当該データテーブルを用いて給電制御を行う給電制御サーバを、呼制御サーバ２とは別個にＩＰネットワーク１上に配置してもよい。但し、通信システムをこのように構成する場合には、給電制御サーバと呼制御サーバ２とがＩＰネットワーク１を介して通信して連携することで、前述したものと同様の制御を行うようにする。
【０１３５】
なお、図８Ａ及び図８Ｂに提示した呼制御メッセージは、あくまでも一例である。従って、例えば、要求メッセージに対する応答メッセージや、他の呼制御メッセージなどといった、図８Ａ及び図８Ｂには図示していないメッセージの授受が図１の通信システム内で行われてもよい。
【０１３６】
また、図８Ａ及び図８Ｂに示した処理手順では、ＩＰ電話端末５は、クレードル６に載置された後も自身のバッテリ部５３の充電が完了するまで電源がオンの状態が維持されるが、この代わりに、以下のようにして充電中の供給電力量を削減してもよい。
【０１３７】
すなわち、ＩＰ電話端末５は、クレードル６に載置されるとバッテリ部５３の充放電制御回路以外の電源をオフとするようにする。この充放電制御回路はバッテリ部５３の満充電（充電完了）を検出すると、その旨をクレードル６に通知し、当該通知を受けたクレードル６がその充電完了の通知を呼制御サーバ２に通知する。この後、呼制御サーバ２から行われる指示によって、ＩＰ電話端末５側の充放電制御回路のスイッチをオフとする制御を行ってＩＰ電話端末５の全ての電源がオフ状態とし、その後に続けてＩＰ電話端末５及びクレードル６への給電を停止する。
【０１３８】
このようにした場合には、バッテリ部５３を充電中のＩＰ電話端末５では無線通信を行えなくなる。そこで、このようにする場合には、呼制御サーバ２は、バッテリ部５３を充電中のＩＰ電話端末５に対する着信要求を検出した場合に、まず、ＩＰ電話端末５の全電源（バッテリ充放電回路を含む）をオン状態とする制御を行って無線通信が可能な状態に移行させる。そしてその後に、このＩＰ電話端末５に対する通常の着信手順を行うようにする。
【０１３９】
なお、図１の通信システムでは、各装置の間の通信を、インターネット・プロトコル（ＩＰ）を用いて行うようにしているが、他の通信プロトコルを用いてもよい。
【０１４０】
なお、以上までに説明した実施形態に関し、更に以下の付記を開示する。
（付記１）
移動通信端末と、
該移動通信端末が載置された状態で該移動通信端末の電源のオン・オフを制御するクレードルと、
該移動通信端末に対する呼制御を行うサーバ装置と、
を有しており、
該サーバ装置は、該クレードルに載置されている状態で電源がオフとされている移動通信端末に対する着信要求を検出したときには、該クレードルに指示を与えて該移動通信端末の電源をオンにする制御を行わせ、その後に該着信要求に応じるための所定の着信制御処理を行う、
ことを特徴とする通信システム。
（付記２）
該移動通信端末は、該クレードルに載置されたときに、該移動通信端末が載置されたクレードルの識別情報を該クレードルから読み出して該サーバ装置に通知し、
該サーバ装置は、該指示を与えるクレードルを該識別情報に基づいて特定する、
ことを特徴とする付記１に記載の通信システム。
（付記３）
該サーバ装置からの指示に従って該クレードルへの給電を行う給電システムを更に有しており、
該移動通信端末は、該クレードルに載置されたときに、その旨を示す載置情報を該サーバ装置に通知し、
該サーバ装置は、該載置情報の通知を受け取ったときに、該給電システムに指示を与えて該載置情報を通知した移動通信端末が載置されているクレードルへの給電を開始させ、
該移動通信端末は、該移動通信端末が載置されているクレードルへの給電が該給電システムにより行われている場合には、該給電を用いて該移動通信端末自身の電源として備えている蓄電池の充電を行い、該充電の完了後には、該移動通信端末の電源が、該クレードルの制御によってオフとされる、
ことを特徴とする付記１に記載の通信システム。
（付記４）
該移動通信端末は、該蓄電池の充電が完了したときに、その旨を示す充電完了情報を該サーバ装置に通知し、
該サーバ装置は、該充電完了情報の通知を受け取ったときには、該充電完了情報を通知した移動通信端末が載置されているクレードルに指示を与えて、該移動通信端末の電源をオフにする制御を行わせる、
ことを特徴とする付記３に記載の通信システム。
（付記５）
該サーバ装置は、該充電完了情報を通知した移動通信端末が載置されているクレードルに指示を与えて該移動通信端末の電源をオフにする制御を行わせ、更にその後に、該給電システムに指示を与えて該充電完了情報を通知した移動通信端末が載置されているクレードルへの給電を停止させる、
ことを特徴とする付記４に記載の通信システム。
（付記６）
該移動通信端末は、該クレードルに載置されたときに、該移動通信端末が載置されたクレードルの識別情報を該クレードルから読み出して該サーバ装置に通知し、
該サーバ装置は、該クレードルの識別情報と該クレードルに給電を行う給電システムとの関係が示されている管理テーブルを更に有しており、該給電システムによるクレードルへの給電の制御を、該制御の対象であるクレードルの識別情報との関係が該管理テーブルに示されている給電システムに行わせる、
ことを特徴とする付記３から５のうちのいずれか一項に記載の通信システム。
（付記７）
該クレードルに載置されていた状態で電源がオフの状態であった該移動通信端末は、該クレードルから取り出されると該電源をオンにし、更に、該移動通信端末自身が待ち受け状態に遷移したことを示す待ち受け状態情報を該サーバ装置に通知し、
該サーバ装置は、該待ち受け状態情報の通知を受け取り、更にその後に該待ち受け状態情報を通知した移動通信端末に対する着信要求を検出したときには、直ちに該着信要求に応じるための着信制御処理を行う、
ことを特徴とする付記１から６のうちのいずれか一項に記載の通信システム。
【符号の説明】
【０１４１】
１  ＩＰネットワーク
２  呼制御サーバ
３、３ａ、３ｂ  無線基地局
４、４ａ、４ｂ  給電ハブ
５、５ａ、５ｂ  ＩＰ電話端末
６、６ａ、６ｂ  クレードル
２１  呼制御部
２２、４１  給電制御部
２３  位置管理部
２４  端末管理部
２５  システムデータ管理部
２６、３１、４２、６１  通信部
３２、５２  無線通信部
４３、６５  ＰｏＥ制御部
５１  主制御部
５３  バッテリ部
５４、６４  スイッチ部
５５ａ、５５ｂ  固定接点
５６  可動接触子
５７  コイルばね
５８  孔
６２  給電部
６３  端末連携部
６６  メモリ部
６７  押圧部材
６８  押圧部材制御部
【図４】
0005482486.tif 000002
【図５】
0005482486.tif 000003
【図６】
0005482486.tif 000004
【図７】
0005482486.tif 000005
【図８Ａ】
0005482486.tif 000006
【図８Ｂ】
0005482486.tif 000007
【図１】
0005482486.tif 000008
【図２】
0005482486.tif 000009
【図３】
0005482486.tif 000010